(57)【要約】【課題】点検口等の開口に開閉自在に設けられた戸体１において、戸体先端面板１ｄとこれに対向する戸枠２端面とのあいだに間隙Ｓに挿入した操作具Ｔを操作軸９に差し込んで回転させることで解錠し、戸体１を初期開放姿勢に強制的に開放できるようにして戸体正面に錠装置が露出しないものでありながら、戸体１の閉鎖時、戸体１を閉鎖操作するだけで施錠状態に閉鎖するようにする。【解決手段】操作具Ｔで解錠操作することで突出してラッチ受け１４側の傾斜ガイド１４ｄに当接して戸体１を開放する作動体１３を、操作具Ｔの操作軸９からの抜き操作により自動的に元姿勢に復帰するようにして、作動体１３が閉鎖作動の邪魔をしないようにする。【選択図】図７
2014009503.tif 000002
【特許請求の範囲】
【請求項１】
躯体側に設けられる開口部に開閉自在に軸支される戸体と、該戸体の戸先側部位に設けられるラッチ受けと、該戸体の戸先側端部に対向する対向部材に設けられ、該対向部材から突出する施錠姿勢と没入する解錠姿勢とに変姿自在で、かつ施錠姿勢側に向けて付勢されるラッチと、該ラッチを、戸体の戸先側端面と該端面に対向する対向部材側端面とのあいだの間隙に設けた操作軸を該間隙に挿入した操作具により回動操作させることに基づいて施錠姿勢から解錠姿勢に変姿させるラッチ変姿手段とを設けてなる戸体において、前記ラッチ変姿手段に、ラッチが施錠姿勢のとき対向部材側に没入する非作用姿勢から解錠姿勢のとき対向部材側から突出する作用姿勢に変姿する作動体を設ける一方、戸体側には、ラッチが施錠姿勢から解錠姿勢に変姿することにタイミングを合わせた作動体の非作用姿勢から作用姿勢に変姿する過程で該作動体に当接して戸体を閉鎖姿勢から初期開放姿勢に変姿させるための開放ガイドを設けると共に、ラッチ変姿手段に、操作軸の操作具による操作解除に基づいてラッチ変姿手段を操作前姿勢に復帰させて作動体を非作用姿勢に変姿させるための復帰弾機を設けたことを特徴とする開き戸。
【請求項２】
躯体側に設けられる開口部に開閉自在に軸支される戸体において、該戸体の戸先側部位に設けられるラッチ受けと、該戸体の戸先側端部に対向する対向部材側に設けられ、該対向部材から突出する施錠姿勢と没入する解錠姿勢とに変姿自在で、かつ施錠姿勢側に向けて付勢されるラッチとを備え、前記ラッチを、戸体の戸先側端面と該端面に対向する対向部材側端面とのあいだの間隙に設けた操作軸を該間隙に挿入した操作具により回動操作させることに基づいて施錠姿勢から解錠姿勢に変姿させるラッチ変姿手段を設けるにあたり、ラッチ変姿手段に、ラッチが施錠姿勢のとき対向部材側に没入する非作用姿勢から解錠姿勢のとき対向部材側から突出する作用姿勢に変姿する作動体を設ける一方、戸体側には、ラッチが施錠姿勢から解錠姿勢に変姿することにタイミングを合わせた作動体の非作用姿勢から作用姿勢に変姿する過程で該作動体に当接して戸体を閉鎖姿勢から初期開放姿勢に変姿させるための開放ガイドを設けると共に、ラッチ変姿手段に、操作軸の操作具による操作解除に基づいてラッチ変姿手段を操作前姿勢に復帰させて作動体を非作用姿勢に変姿させるための復帰弾機を設けたことを特徴とする開き戸における錠装置。
【請求項３】
作動体は、ラッチがラッチ受けから抜け出ることにタイミングを合わせて開放ガイドに当接することを特徴とする請求項２記載の開き戸における錠装置。
【請求項４】
ラッチは、ラッチ変姿手段が作動体を非作用姿勢から作用姿勢に変姿する方向の移動では該ラッチ変姿手段に係止して施錠姿勢から解錠姿勢に変姿するが、ラッチ単独での施錠姿勢から解錠姿勢への変姿はラッチ変姿手段からの係止解除がなされて許容されるものとし、該ラッチは、ラッチ変姿手段が作動体を非作用姿勢に変姿させる復帰弾機とは異なる復帰弾機を介して施錠姿勢側に復帰するよう付勢されていることを特徴とする請求項２または３記載の開き戸における錠装置。
【請求項５】
戸体の裏面側には、ラッチ受けに係止した施錠姿勢のラッチに向けて離接自在に配されていて、戸体裏面側からの操作で該施錠姿勢のラッチのラッチ受けへの係止を解除して解錠状態とするための操作体が設けられていることを特徴とする請求項２乃至４の何れか１記載の開き戸における錠装置。
【発明の詳細な説明】
【技術分野】
【０００１】
本発明は、点検口等の開口部に戸体が開閉自在に設けられる開き戸（開き扉）および該開き戸における錠装置の技術分野に関するものである。
【背景技術】
【０００２】
一般に、ビルやマンション等の建造物においては、空調施設、ガス栓や分電盤等の設備を点検室に配設し、必要において開閉し点検できるようにしているが、このような点検口等の開口部には、縦軸を揺動軸として戸体が開閉できるように構成した所謂開き戸が設けられるが、このような戸体の表面には、ラッチにより閉鎖ロックされる戸体のロック解除の操作をするための操作具が外部に露出するようにして設けられている（例えば特許文献１参照）。このように操作具が外部に露出しているものでは煩わしいだけでなく外観が損なわれてしまうという問題がある。
そこで戸体の戸先端面と、該端面に対向する戸枠側端面との対向間の隙間（チリ）に鍵棒を挿入し、該鍵棒の操作でロック解除できるように構成したものが知られている（例えば特許文献２、３参照）。
【先行技術文献】
【特許文献】
【０００３】
【特許文献１】特開平１１−２１０２７７号公報
【特許文献２】特許第４５０９１４２号公報
【特許文献３】特許第４７６２３７２号公報
【発明の概要】
【発明が解決しようとする課題】
【０００４】
ところで前記特許文献２、３に示すものは、戸体の表面に手操作するための操作具がないため、このままではロック解除後の戸体の開き操作をすることができず、そこで鍵棒によるロック解除操作にタイミングを合わせて戸体が僅かではあるが初期解放する構成とし、そして該初期開放した戸体の戸先端に指を当てて戸体を大きく開くことができるように構成している。
ところで前記特許文献２のものは、弾機の付勢力を受けて初期開放する構成になっているため、戸体を閉めてラッチによるロックをするには、一方の手で戸体を弾機の付勢力に抗して閉鎖姿勢にした状態で他方の手で鍵棒を回してロック操作する必要があるため両手での操作が必要になって操作性に劣る、という問題がある。
また特許文献３のものは、鍵棒の回し操作に基づき、ラッチがロック解除作動する過程、逆にロック作動する過程でラッチが傾斜面（それぞれ異なる傾斜面）をスライド移動することを利用して閉鎖姿勢から初期開放姿勢となり、また初期開放姿勢から閉鎖姿勢となるように構成し、これによって何れの作業も片手操作ができるように構成してはいるが、このものもロック作動時、鍵棒の回し作業が必要であるうえ、鍵棒の何れの回し操作もラッチが傾斜面をスライド移動する際の抵抗を受けることになって鍵棒の回し操作が重く操作性に劣るという問題があり、これらに本発明の解決すべき課題がある。
【課題を解決するための手段】
【０００５】
本発明は、上記の如き実情に鑑みこれらの課題を解決することを目的として創作されたものであって、請求項１の発明は、躯体側に設けられる開口部に開閉自在に軸支される戸体と、該戸体の戸先側部位に設けられるラッチ受けと、該戸体の戸先側端部に対向する対向部材に設けられ、該対向部材から突出する施錠姿勢と没入する解錠姿勢とに変姿自在で、かつ施錠姿勢側に向けて付勢されるラッチと、該ラッチを、戸体の戸先側端面と該端面に対向する対向部材側端面とのあいだの間隙に設けた操作軸を該間隙に挿入した操作具により回動操作させることに基づいて施錠姿勢から解錠姿勢に変姿させるラッチ変姿手段とを設けてなる戸体において、前記ラッチ変姿手段に、ラッチが施錠姿勢のとき対向部材側に没入する非作用姿勢から解錠姿勢のとき対向部材側から突出する作用姿勢に変姿する作動体を設ける一方、戸体側には、ラッチが施錠姿勢から解錠姿勢に変姿することにタイミングを合わせた作動体の非作用姿勢から作用姿勢に変姿する過程で該作動体に当接して戸体を閉鎖姿勢から初期開放姿勢に変姿させるための開放ガイドを設けると共に、ラッチ変姿手段に、操作軸の操作具による操作解除に基づいてラッチ変姿手段を操作前姿勢に復帰させて作動体を非作用姿勢に変姿させるための復帰弾機を設けたことを特徴とする開き戸である。
請求項２の発明は、躯体側に設けられる開口部に開閉自在に軸支される戸体において、該戸体の戸先側部位に設けられるラッチ受けと、該戸体の戸先側端部に対向する対向部材側に設けられ、該対向部材から突出する施錠姿勢と没入する解錠姿勢とに変姿自在で、かつ施錠姿勢側に向けて付勢されるラッチとを備え、前記ラッチを、戸体の戸先側端面と該端面に対向する対向部材側端面とのあいだの間隙に設けた操作軸を該間隙に挿入した操作具により回動操作させることに基づいて施錠姿勢から解錠姿勢に変姿させるラッチ変姿手段を設けるにあたり、ラッチ変姿手段に、ラッチが施錠姿勢のとき対向部材側に没入する非作用姿勢から解錠姿勢のとき対向部材側から突出する作用姿勢に変姿する作動体を設ける一方、戸体側には、ラッチが施錠姿勢から解錠姿勢に変姿することにタイミングを合わせた作動体の非作用姿勢から作用姿勢に変姿する過程で該作動体に当接して戸体を閉鎖姿勢から初期開放姿勢に変姿させるための開放ガイドを設けると共に、ラッチ変姿手段に、操作軸の操作具による操作解除に基づいてラッチ変姿手段を操作前姿勢に復帰させて作動体を非作用姿勢に変姿させるための復帰弾機を設けたことを特徴とする開き戸における錠装置である。
請求項３の発明は、作動体は、ラッチがラッチ受けから抜け出ることにタイミングを合わせて開放ガイドに当接することを特徴とする請求項２記載の開き戸における錠装置である。
請求項４の発明は、ラッチは、ラッチ変姿手段が作動体を非作用姿勢から作用姿勢に変姿する方向の移動では該ラッチ変姿手段に係止して施錠姿勢から解錠姿勢に変姿するが、ラッチ単独での施錠姿勢から解錠姿勢への変姿はラッチ変姿手段からの係止解除がなされて許容されるものとし、該ラッチは、ラッチ変姿手段が作動体を非作用姿勢に変姿させる復帰弾機とは異なる復帰弾機を介して施錠姿勢側に復帰するよう付勢されていることを特徴とする請求項２または３記載の開き戸における錠装置である。
請求項５の発明は、戸体の裏面側には、ラッチ受けに係止した施錠姿勢のラッチに向けて離接自在に配されていて、戸体裏面側からの操作で該施錠姿勢のラッチのラッチ受けへの係止を解除して解錠状態とするための操作体が設けられていることを特徴とする請求項２乃至４の何れか１記載の開き戸における錠装置である。
【発明の効果】
【０００６】
請求項１または２の発明とすることにより、戸体の戸先側端面と該端面に対向する躯体側とのあいだの間隙に設けた操作軸を操作具で回し操作することで解錠すると共に作動体が作用姿勢に突出して戸体を全閉姿勢から初期開放姿勢にできるため、戸体表面に錠装置の露出がないものにして、すっきりとした外観の良いものにできながら、操作具操作を解除することに伴い、前記初期開放姿勢にするため作用姿勢に突出した作動体は自動的に非作用姿勢に復帰することになる結果、開放した戸体を閉鎖する際に作動体が邪魔になることがなく、戸体を閉じ操作するだけで全閉できることになる。
請求項３の発明とすることで、ラッチがラッチ受けから抜け出る前に開放ガイドに作動体が当接してしまう場合のように、作動体が開放ガイドに当接して戸体を開放しようとする負荷を受けてラッチがラッチ受けに押し付けられることがなくなることになって戸体の初期開放姿勢への開放作動が円滑になる。
請求項４の発明とすることにより、ラッチは、作動体を非作用姿勢に復帰させるための復帰弾機の付勢力ではなく、ラッチ体用に設けた別の復帰弾機の付勢力に抗する状態で単独で施錠姿勢から解錠姿勢に変姿し、そして解錠姿勢に変姿したラッチは該別の復帰弾機の付勢力を受けて施錠姿勢に復帰することになるため、開放した戸体を閉操作する場合に、作動体は何ら作動することなくラッチが単独で出没作動をして施錠状態となることとなって、いちいち操作具操作をする必要がなく操作性が向上する。
請求項５の発明とすることで、戸体裏面側に作業者がいる状態で戸体が閉じてしまった場合、操作体を操作することで解錠できることになるため、戸体内に閉じ込められてしまうことを回避することができる。
【図面の簡単な説明】
【０００７】
【図１】開き戸の正面図である。
【図２】開き戸の一部を省略した水平断面図である。
【図３】錠装置の一部切り欠き正面図である。
【図４】錠本体が戸枠に取り付けられている状態を示す斜視図である。
【図５】錠受け部が戸体に取り付けられている状態を示す斜視図である。
【図６】（Ａ）（Ｂ）（Ｃ）は錠装置を操作具を用いて解錠する過程を示した平面図である。
【図７】（Ａ）（Ｂ）（Ｃ）は錠装置を操作具を用いて解錠する過程を示したケース体の表ケースを外した状態の要部断面正面図である。
【図８】（Ａ）（Ｂ）（Ｃ）は錠装置を操作具を用いて解錠する過程を示した要部断面平面図である。
【図９】（Ａ）（Ｂ）（Ｃ）は錠装置を操作具を用いて解錠する過程において作動体とラッチ受けとの関係を示す要部断面平面図である。
【図１０】（Ａ）（Ｂ）（Ｃ）は非常用操作体を用いて非常解錠する過程を示したケース体の表ケースを外した状態の要部断面正面図である。
【図１１】（Ａ）（Ｂ）（Ｃ）は非常用操作体を用いて非常解錠する過程を示した要部断面平面図である。
【図１２】（Ａ）（Ｂ）（Ｃ）はカム体の平面図、正面図、底面図である。
【図１３】（Ａ）（Ｂ）はラッチの側面図、正面図である。
【図１４】（Ａ）（Ｂ）は作動体の側面図、正面図である。
【図１５】（Ａ）（Ｂ）（Ｃ）（Ｄ）（Ｅ)はラッチ受けの正面図、背面図、側面図、底面図、平面図である。
【図１６】（Ａ）（Ｂ）（Ｃ）（Ｄ）（Ｅ)（Ｆ）は非常開放体の正面図、右側面図、背面図、左側面図、平面図、非常用操作体を操作したときの背面図である。
【図１７】第二の実施の形態を示す開き戸の正面図である。
【図１８】第二の実施の形態の中間戸の縦断面図である。
【図１９】第二の実施の形態を示す開き戸の水平断面図である。
【発明を実施するための形態】
【０００８】
以下、本発明の第一の実施の形態について、図１〜図１６に基づいて説明する。図面において、１は点検口（点検窓）に設けられる戸体であって、該戸体１は、戸尻側端部が戸枠２に上下縦軸３、３ａを介して開閉揺動自在に軸支されている。戸体１の戸先側端部は、裏面板１ａ、該裏面板１ａから正面側に折曲形成される凹面板１ｂ、該凹面板１ｂから戸先側に向けて折曲形成される段差面板１ｃ、該段差面板１ｃから正面側に向けて折曲形成される先端面板１ｄ、該先端面板１ｄから戸尻側に向けて折曲される状態の正面板１ｅとから構成された凹凸形状になっている一方、これに対向する戸枠（第一の実施の形態における戸体戸先側端部に対向する対向部材に相当する）２側は、凹面板１ｂに近接対向する状態で凸板部２ａが突出形成され、先端面板１ｄとこれに対向する戸枠２端面とのあいだに間隙（チリ）Ｓが形成されている。尚、凸板部２ａには、操作具Ｔが挿入するための貫通孔２ｄが穿設されると共に、ビス８で固定するためのビス孔２ｅが穿設される固定板２ｆが固着されている。
【０００９】
４は戸枠２の凸板部２ａ部位に組み込まれる錠本体、５は戸体１側に組み込まれる錠受体であって、錠本体４を構成するケース体６は、戸枠凸板部２ａの突出端面２ｂに形成の取付け孔２ｃに対し開口内側から挿入組み込みすることでケース体６から上下方向に突出する取付け片６ａを固定板２ｆに突き当て、さらにその開口内側からカバー体７を突当てた状態でビス８を介してケース体６、カバー体７を前記凸板部２ａに固定するようになっている。尚、カバー体７には、後述するラッチ１１、作動体１３が出没移動するための貫通孔７ａ、７ｂ、操作具Ｔが挿入するための貫通孔７ｃがそれぞれ穿設されている。
【００１０】
前記ケース体６には、戸体１を閉鎖した状態で前後方向を向き、かつ該閉鎖状態で前記間隙Ｓ位置に位置するように配される操作軸９が回動自在に軸支され、該操作軸９に、間隙を存して対向する一対のカム体１０が該操作軸９と一体揺動するよう設けられている。そして操作軸９には、間隙Ｓに挿入した操作具Ｔが挿入する挿入孔９ａ（図１２（Ｂ）参照）が形成されているが、本実施の形態では六角孔となっており、操作具Ｔの先端部を挿入孔９ａに挿入した状態で操作具Ｔを回し操作することにより操作軸９がカム体１０と共に一体回動するようになっている。因みにこの挿入孔９ａは、操作軸９を回転させるものであれば良く、汎用のビスのビス頭に形成されるマイナス溝やプラス溝のようなものであっても良いことはいうまでもない。
【００１１】
１１はケース体６に設けたラッチ用ガイド１１ａに出没自在にガイドされるラッチであって、該ラッチ１１（図１３参照）は、後述するラッチ受け１４側に係止する係止部１１ｂと、該係止部に対して段差部１１ｃを介して肉薄状となって後述するカム体１０の対向間に挟まれる寸法に設定された肉薄部１１ｄと、該肉薄部１１ｄから棒状になって突出する突出部１１ｅと、該突出部１１ｅの突出端に形成されるフランジ部１１ｆとを備えて構成され、フランジ部１１ｆから前後方向に向けて突出する受け杆１１ｇとを備えて構成されている。
そしてラッチ１１は、受け杆１１ｇの前後端がケース体６に設けた左右方向に長いラッチ用ガイド溝６ｂに嵌入することでラッチ用ガイド１１ａから出没ガイドを受けるようになっていると共に、ケース体６とフランジ部１１ｆのあいだに介装される第一弾機（別の復帰弾機に相当する。）１２によりラッチ１１はラッチ用ガイド１１ａから突出する方向、つまり施錠姿勢に向けて常時付勢されている。
一方、前記カム体１０からラッチ１１側に向けて突設された第一カム片１０ａが段差部１１ｃと受け杆１１ｇとのあいだに位置するようにして挿入されている。そして常時は、操作軸９に懸回され、一端がカム体１０に支持され、他端がケース体６に支持された第二弾機（本発明の作動体用の「復帰弾機」に相当する。）１２ａの付勢力を受けて第一カム片１０ａ（図１２参照）がラッチ用ガイド１１ａに弾圧状に当接することになって、これ以上の錠受体５側への移動が制限されているが、この状態でラッチ１１はラッチ用ガイド１１ａから突出して後述するように錠受体５側に係止する施錠姿勢となっている。因みに、前記第一弾機１２は、第二弾機１２ａよりも小さい付勢力に設定されている。
また、該突出するラッチ１１をケース体６側に押し操作した場合、該ラッチ１１は、第一弾機１２に抗して没入して前記ラッチ用ガイド１１ａに当接している第一カム片１０ａ側に肉薄部１１ｄが移動する、つまりカム体１０を第二弾機１２ａに抗して揺動させることなくラッチ１１のみを第一弾機１２に抗して単独で解錠側に移動させることができるようになっている。
さらに係止部１１ｂには傾斜ガイド１１ｈが設けられているが、該傾斜ガイド１１ｈは、開放している戸体１を閉操作した場合に、後述するラッチ受け１４の裏面板突き当て面部１４ｂに当接することで解錠方向の負荷を受けることになり、これによってラッチ１１は、第一弾機１２に抗して自動的に解錠姿勢側に変姿をしてラッチ受け１４の突き当て面部１４ａを単独で乗り越え、該突き当て面部１４ａに形成の係止孔１４ｃに至ると第一弾機１２の付勢力を受けて自動的に施錠姿勢に復帰するようになっている。
【００１２】
１３は操作軸９に対し、ラッチ１１とは反対側に設けられる作動体（図１４参照）であって、該作動体１３は、ケース体６に設けた作動体用ガイド１３ａに出没自在にガイドされるようになっている。そして作動体１３の基端部１３ｂは段差部１３ｃを介して細幅となっていて前記一対のカム体１０の対向間に挟まれる寸法に設定され、その基端には段差部１３ｃとは間隙を存する状態で受け杆１３ｄが前後方向に向けて突出形成されるが、該受け杆１３ｄは、ケース体６に形成の作動体用ガイド溝６ｃに嵌入することで作動体１３の作動体用ガイド１３ａからの出没ガイドをするようになっている。
カム体１０には、作動体１３側に向けて第二カム片１０ｂが突出形成されているが、該第二カム片１０ｂに形成の長孔１０ｃに受け杆１３ｄが遊嵌している。そして前述した第一カム片１０ａが第二弾機１２ａの付勢力を受けてラッチ用ガイド１１ａに当接した施錠姿勢となっているときには、作動体１３は、作動体用ガイド１３ａに対して没入した非作用姿勢になるように構成されている。尚、１３ｅは作動体の先端部に設けられるガイドローラである。
【００１３】
一方、前記錠受体５は、ラッチ１１を係脱自在に受けるラッチ受け１４と、戸体１を点検口内側から非常開放するため設けられる非常開放体１５とで構成されるが、ラッチ受け１４（図１５参照）は、戸体１の戸先側端部に対し、戸先側枠体側から戸尻側枠体側に向けて組み付けられるものであって、戸体凹面板１ｂに突き当てられる凹面板突き当て面部１４ａと裏面板１ａに突き当てられる裏面板突き当て面部１４ｂとを有して構成され、そして前記ラッチ１１は、前述した施錠姿勢では、凹面板突き当て面部１４ａに形成の係止孔１４ｃに貫通するとともに凹面板１ｂに形成の貫通孔１ｆを貫通して係止することで施錠されるようになっている。
さらに前記凹面板突き当て面部１４ａの上下両部位には、段差面板１ｃから裏面板１ａに至るほど戸尻側に偏倚するよう傾斜した傾斜ガイド（本発明の開放ガイドに相当する。）１４ｄが設けられ、該傾斜ガイド１４ｄの先端部には裏面板１ａに裏面側から突き当てられる裏面板突き当て面部１４ｅが形成されている。そしてラッチ受け１４は、裏面板１ａから凹面板１ｂに亘るようにして設けた嵌合孔１ｇに傾斜ガイド１４ｄが嵌合する状態で戸体１の戸先側端部に取り付けられ、このようにして取り付けられたラッチ受け１４の傾斜ガイド１４ｄの上下一方は前記作動体１３と対向する配置構成となっている。尚、本実施の形態では傾斜ガイド１４ｄ上下に一対形成されているが、これは戸体１が右開き、左開きの左右勝手違いに対応するものであり、実質的には何れか一方で実施することができる。
【００１４】
図６〜１０（Ａ）は戸体１が閉鎖している通常状態（閉鎖状態（施錠状態））、同図（Ｂ）は中間解錠状態、同図（Ｃ）は解錠された初期開放状態をそれぞれ示すが、前記通常状態では、第一弾機１２の付勢力を受けることでラッチ１１が突出する一方で、作動体１３はケース体６内に没入することになる。そして、前記突出したラッチ１１は、貫通孔１ｆを貫通してラッチ受け１４の係止孔１４ｃに係止しており、これによって施錠状態となって戸体１は開放規制される。この通常状態から解錠をして戸体１を開く場合には、操作具Ｔを、戸体１の先端面板１ｄとこれに対向する戸枠２とのあいだの間隙Ｓを通して操作軸９に設けた挿入孔９ａに差し込んだ状態で第二弾機１２ａに抗するようにして回し操作をする。この回し操作をしていくと、カム体１０は、カム体１０からラッチ１１側に向けて突設された第一カム片１０ａが、ラッチ１１の受け杆１１ｇを押し付け第一弾機１２に抗する状態でラッチ１１をケース体６に没入する、つまりラッチ１１を係止孔１４ｃから抜け出る方向に移動させると同時にカム体１０から作動体１３側に向けて突設される第二カム片１０ｂの長孔１０ｃに遊嵌している作動体１３の受け杆１３ｄを戸体１の方向（戸尻方向）に移動させることで、作動体１３はケース体６から突出する方向に移動することになる。そしてカム体１０を回動していくことによりラッチ１１が係止孔１４ｃから抜け出て解錠されることにタイミングを合わせるようにして作動体１３が傾斜ガイド１４ｄに当接し、さらなるカム体１０の回動により作動体１３が傾斜ガイド１４ｄを戸体１が開放する側に向けて押圧することになるため該戸体１は僅かではあるが開放した初期開放位置に至る。この初期開放状態にした後、操作具Ｔを操作軸９から抜き取ると、カム体１０は第二弾機１２ａの付勢力を受けて自動的に復帰回動することになってラッチ１１が第一弾機１２の付勢力を受けてケース体６から突出した施錠姿勢に復帰すると共に、作動体１３はケース体６側に没入した非作用姿勢に自動的に復帰するようになっている。
そして前記戸体１が初期開放姿勢となってラッチ１１が第一弾機１２の付勢力を受けて施錠姿勢に復帰したとしても、ラッチ１１は係止孔１４ｃから外れた位置にあるため施錠状態になってしまうことがなく解錠状態が維持されることになる。
一方、前記初期開放した戸体１は、手を掛けて全開放できるようになっている。そして該開放した戸体１を閉鎖操作した場合に、前述したように作動体１３は非作用姿勢に復帰しているため戸体１の全閉を邪魔することはなく、また施錠姿勢に復帰したラッチ１１は、前述したように第一弾機１２に抗した単独での出没作動を行うことになってラッチ受け１４の係止孔１４ｃに没入する正常姿勢となるように構成されている。
【００１５】
また、非常開放体１５（図１６参照）は戸体１の凹面板１ｂに対して戸尻側から組付けるものであって、該凹面板１ｂに突き当てられて該凹面板１ｂに固定され上下一対の凹面板突き当て面板１５ａと、該凹面板突き当て面板１５ａの裏面側端から戸尻側に向けて折曲され、裏面板１ａに対向する裏面板対向面板１５ｂと、該裏面板対向面板１５ｂの戸尻側端から正面側に向けて折曲された支持板１５ｃとを備えて構成されるが、一対の凹面板突き当て面板１５ａの対向間は、前記ラッチ受け１４に穿設した係止孔１４ｃに対向している。前記裏面板対向面板１５ｂには、凹面板突き当て面板１５ａの対向間に位置する状態で正面側に向けて折曲したガイド板１５ｄが形成される。一方、支持板１５ｃとガイド板１５ｄには操作体１６から延出した軸部１６ａが軸方向移動自在に貫通し、該軸部１６ａの先端には凵字形をした作動板１７の跨部１７ａが連結されているが、該作動板１７は、開口が操作体１６側を向く状態で前記ガイド板１５ｄを跨ぐように配されており、ガイド板１５ｄと支持板１５ｃとのあいだに介装した復帰弾機１８の付勢力を受けて作動板跨部１７ａがガイド板１５ｄに当接する非作用姿勢に位置するようになっている。
そしてこの非作用姿勢の状態で操作体１６を復帰弾機１８に抗してラッチ１１側に向けて押し操作していく（図１０参照）と、作動板１７がガイド板１５ｄに案内される状態でラッチ１１側に移動してラッチ１１の先端に当接した後、該ラッチ１１を第一弾機１２の付勢力に抗してケース体６に没入する側に向けて移動させ、そしてラッチ１１がラッチ受け１４の係止孔１４ｃから抜け出る作用位置まで移動させることになってラッチ１１は解錠状態となり、これによって戸体１を点検口内から開放できるようになっている。
【００１６】
叙述の如く構成された本実施の形態において、戸体１は、閉鎖姿勢において、ラッチ１１がラッチ受け１４の係止孔１４ｃに嵌入係止した施錠状態となっており、この状態で、戸体先端面板１ｄとこれに対向する戸枠２端面とのあいだに間隙Ｓに挿入した操作具Ｔを操作軸９に差し込んで回転させると、カム体１０が、ラッチ１１をケース体６に没入させ、作動体１３をケース体６から突出する方向に揺動していくことになる。そしてラッチ１１がラッチ受け１４の係止孔１４ｃから抜け出た解錠状態になることにタイミングを合わせて作動体１３がラッチ受け１４に形成の傾斜ガイド１４ｄに当接し、以降のカム体１０の回動により作動体１３が傾斜ガイド１４ｄを押圧することになり、この押圧力を受けて戸体１は強制的に初期開放位置まで開くことになる。そしてこの初期開放姿勢の戸体１に手を掛けて全開することができる。
【００１７】
このように本発明が実施された形態においては、解錠装置を戸体１の正面板１ｅに露出するように設けるものではないため、戸体１の外観性が向上し、すっきりしたものになる。
しかもこのものでは、ラッチ１１は、操作具Ｔで操作軸９を操作して施錠姿勢から解錠姿勢に変姿する場合には回動するカム体１０に係止して解錠姿勢に変姿することになるが、解錠操作して初期開放姿勢になった後、操作具Ｔを操作軸９から抜き取ると、カム体１０は強い第二弾機１２ａの付勢力を受けて操作前の元姿勢に自動的に復帰することになるが、前記戸体１を初期復帰姿勢に強制移動させた作動体１３は、カム体１０の復帰作動に連動してケース体６内に没入することになる一方で、ラッチ１１は第一弾機１２の付勢力を受けて施錠姿勢に変姿することになる。そしてこの状態では、ラッチ１１は、カム体１０には何ら関与することなく第一弾機１２の付勢力に抗して単独で出没できる結果、開放している戸体１を閉鎖する場合に、手で軽く押しやる閉操作をするだけで、第一弾機１２の軽い付勢力に抗してラッチ１１がラッチ受け１４を乗り越えるという出没動作はあるものの、作動体１３は何ら動くことなく不動の状態のままで全閉して施錠姿勢に復帰することになり、操作具操作を必要とすることがない。
【００１８】
そのうえこのものでは、前記解錠操作において、ラッチ１１がラッチ受け１４の係止孔１４ｃから抜け出たことにタイミングを合わせて作動体１３がラッチ受け１４に形成の傾斜ガイド１４ｄに当接して戸体１を初期開放姿勢に変化させる負荷が発生するため、ラッチ１１がラッチ受け１４から抜け出る前の段階で作動体１３を傾斜ガイド１４ｄに当接して開放負荷を発生させる場合のように、ラッチ１１が係止孔１４ｃに押し当てられて開放の邪魔をするようなことがなく、円滑な開放作動をすることになる。
【００１９】
一方、戸体１が開放姿勢の状態で作業者が開口内に入り込んで作業をしているときに、戸体１が何らかの理由によって誤って閉鎖し、施錠姿勢になってしまった場合、入り込んだ作業者は、操作体１６を押し操作すると、作動板跨部１７ａがラッチ１１を第一弾機１２に抗してケース体６内に没入してラッチ受け係止孔１４ｃから外れる方向に移動することとなって解錠状態となり、この状態で戸体１を正面側に向けて押しやることで戸体１は非常開放する。この結果、戸体１を閉鎖することで自動施錠するものでありながら、中に閉じ込められた非常時においても、簡単な操作で外に脱出することができる。
【００２０】
本発明は、前記実施の形態に限定されないものであることは勿論であって、例えば図１７〜１９に示す第二の実施の形態としても実施することができる。
このものは、開口部の左右両側に左右一対の第一、第二の戸体２１、２２がそれぞれ縦軸２１ａ、２２ａを介して開閉自在に軸支されており、これら第一、第二戸体２１、２２のあいだにスライド移動する中間戸体２３、２４、２５が設けられたものである。中間戸体２３（中間戸体２４、２５は何れも同じ構造をしているので詳細は省略する。）の開口内側面には上下ブラケット２３ａ、２３ｂが突設されているが、上側ブラケット２３ａには、上枠２６に設けた凹溝状のガイドレール２６ａに内嵌して倒れ止めとスライド案内とがなされるガイド２７が設けられ、下側ブラケット２３ｂには下枠２８に設けた凸条の案内レール２８ａを走行する転輪２９が設けられている。そしてこれら中間戸体２３、２４、２５は、図１９において左側の第一戸体２１を開放したときには左側に個別移動することができ、右側の第二戸体２２を開放したときには右側に個別移動することができるようになっている。
【００２１】
そしてこのものでは、第一戸体２１の戸先側端部とこれに対向して隣接する中間戸体２３の対向端部とのあいだ、および第二戸体２２の戸先側端部とこれに隣接する中間戸体２５の対向端部とのあいだに、前記第一の実施の形態において実施したものと同様の錠装置が設けられている。つまりこのものでは、中間戸体２３、２５側に錠本体４がそれぞれ組込まれ、第一戸体２１、第２戸体２２側に錠受け体５がそれぞれ組込まれたものであるので、これらの詳細については省略する。そして本実施の形態では、これら中間戸体２３、２５が開き戸を構成する戸体２１、２２の戸先側端部に対向する対向部材を構成するようになっている。
【産業上の利用可能性】
【００２２】
本発明は、点検口等の開口部に開閉自在に設けられる戸体の開閉に利用することができる。
【符号の説明】
【００２３】
１    戸体
２    戸枠
４    錠本体
５    錠受体
９    操作軸
１０    カム体
１１    ラッチ
１２ａ  第二弾機
１３    作動体
１４    ラッチ受け
１５    非常開放体
１６    操作体
１７    作動板
Ｓ    間隙
Ｔ    操作具
【図１】
2014009503.tif 000003
【図２】
2014009503.tif 000004
【図３】
2014009503.tif 000005
【図４】
2014009503.tif 000006
【図５】
2014009503.tif 000007
【図６】
2014009503.tif 000008
【図７】
2014009503.tif 000009
【図８】
2014009503.tif 000010
【図９】
2014009503.tif 000011
【図１０】
2014009503.tif 000012
【図１１】
2014009503.tif 000013
【図１２】
2014009503.tif 000014
【図１３】
2014009503.tif 000015
【図１４】
2014009503.tif 000016
【図１５】
2014009503.tif 000017
【図１６】
2014009503.tif 000018
【図１７】
2014009503.tif 000019
【図１８】
2014009503.tif 000020
【図１９】
2014009503.tif 000021